【手続補正書】
【提出日】平成18年5月12日(2006.5.12)
【手続補正１】
【補正対象書類名】明細書
【補正対象項目名】特許請求の範囲
【補正方法】変更
【補正の内容】
【特許請求の範囲】
【請求項１】  エレクトロニックコミュニティに属するメンバの行動基準を、エレクトロニックコミュニティのメンバからの入力に応答して自動的に維持する方法であって、該方法は、
(a)  前記エレクトロニックコミュニティの任意のメンバが、該エレクトロニックコミュニティの特定の他のメンバに関するフィードバックインジケータを提出することを可能にするステップであって、該フィードバックインジケータは、そのフィードバックインジケータを提出したメンバによる前記特定の他のメンバの行動の認識を示しているものであるステップと、
(b)  行動基準を表しているしきい値を超えたことを、前記特定の他のメンバに関して前記エレクトロニックコミュニティの前記メンバによって提出されたフィードバックインジケータの関数として、判断するステップと、
(c)  前記しきい値を超えたとの判断の結果として、前記特定の他のメンバに向けられたアクションを自動的に実施するステップと、
を含むことを特徴とする方法。
【請求項２】  請求項１に記載の方法において、前記メンバが前記フィードバックインジケータを提出することを可能にする前記ステップは、
(a)  あるメンバが、前記エレクトロニックコミュニティを構成するメンバから前記特定の他のメンバを選択することを可能にするステップと、
(b)  前記あるメンバが、前記特定の他のメンバの行動上の振る舞いを各々表している複数のカテゴリからフィードバックインジケータを選択することを可能にするステップと、
(c)  前記あるメンバが、前記エレクトロニックコミュニティのメンバに対してアクセス可能になっている中央記憶装置に前記フィードバックインジケータを提出することを可能にするステップと、
を含むことを特徴とする方法。
【請求項３】  請求項１に記載の方法において、前記しきい値を超えたことを判断する前記ステップは、
(a)  前記特定の他のメンバの振る舞いを表しているカテゴリを、提出された前記フィードバックインジケータの関数として判断するステップと、
(b)  前記特定の他のメンバに対する前記カテゴリに関連するタリー（集計）をインクリメントするステップと、
(c)  前記タリーを前記しきい値と比較して、該タリーが前記しきい値を超えているかどうかを判断するステップと、
を含むことを特徴とする方法。
【請求項４】  請求項１に記載の方法において、前記しきい値を超えたことを判断する前記ステップは、
(a)  前記特定の他のメンバの前記振る舞いを表しているカテゴリを、提出されたフィードバックインジケータの関数として判断するステップと、
(b)  前記フィードバックを提出した前記メンバの信用証明を判断するステップと、
(c)  前記信用証明の関数として、前記特定の他のメンバに対してのカテゴリに関連するタリーを調整するステップと、
(d)  前記タリーを前記しきい値と比較して、前記タリーが前記しきい値を超えているかどうかを判断するステップと、
を含むことを特徴とする方法。
【請求項５】  請求項１に記載の方法において、前記特定の他のメンバに向けられたアクションを自動的に実施する前記ステップは、
(a)  前記エレクトロニックコミュニティの前記特定の他のメンバによるそれ以外のメンバーとの通信を制限するステップ、
(b)  前記特定の他のメンバに対して前記エレクトロニックコミュニティの活動（アクティビティ）に参加することを許可する前に、前記特定の他のメンバにあるアクションの実行を要求するステップ、
(c)  前記特定の他のメンバが前記エレクトロニックコミュニティの活動に参加するのを、あらかじめ決めた期間の間一時中止するステップ、
(d)  前記特定の他のメンバが前記エレクトロニックコミュニティにアクセスするのを終了するステップ、
(e)  前記特定の他のメンバに罰金を科するステップ、
(f)  前記特定の他のメンバが前記エレクトロニックコミュニティに関連してクレジットカードを以降に使用することを禁止するステップ、
(g)  前記エレクトロニックコミュニティの活動の追加特典を前記特定の他のメンバに許与するステップ、  
(h)  前記特定の他のメンバに割引と割り戻しのうちの１つを許与するステップ、
(i)  前記特定の他のメンバを前記エレクトロニックコミュニティのサブグループ（下位集団）に割り当てるステップ、
のうちの少なくともいずれか１つを含むことを特徴とする方法。
【請求項６】  請求項１に記載の方法において、前記特定の他のメンバに向けられたアクションを自動的に実施する前記ステップは、前記特定の他のメンバによって使用されているエレクトロニックデバイスに、前記特定の他のメンバがエレクトロニックコミュニティに参加することに影響を及ぼす通知を与えるステップを含み、該通知は、前記特定の他のメンバに向けられたアクションを前記エレクトロニックデバイスに実行させることを特徴とする方法。
【請求項７】  請求項１に記載の方法において、前記エレクトロニックコミュニティに属する前記特定の他のメンバとやりとりするかどうかを、前記エレクトロニックコミュニティのメンバによって前記特定の他のメンバに関して提出された前記フィードバックインジケータの関数として、メンバが選択することを可能にするステップをさらに含むことを特徴とする方法。
【請求項８】  請求項７に記載の方法において、前記特定の他のメンバとやりとりするかどうかをメンバが選択することを可能にする前記ステップは、前記エレクトロニックコミュニティの活動においてそのメンバが自分がやりとりしようとする、前記エレクトロニックコミュニティのサブグループの複数のメンバを選択することを可能にするステップを含むことを特徴とする方法。
【請求項９】  請求項１に記載の方法において、前記行動基準を表す前記しきい値を、提出された前記フィードバックインジケータの関数として自動的に調整するステップをさらに含むことを特徴とする方法。
【請求項１０】  請求項９に記載の方法において、前記しきい値を自動的に調整する前記ステップは、前記しきい値を超えると、その影響を受けるユーザのパーセンテージを計算するステップを含むことを特徴とする方法。
【請求項１１】  請求項１に記載の方法において、前記エレクトロニックコミュニティは、ゲーミング、テキスト通信、音声通信、ビデオ通信、電子商取引、商品取引、サービス取引、および共同作業の１つに従事することを特徴とする方法。
【請求項１２】  請求項１に記載のステップをマシンに実行させるマシン命令を格納していることを特徴とするマシン可読媒体。
【請求項１３】  エレクトロニックコミュニティに属するメンバの行動基準を、該エレクトロニックコミュニティのメンバからの入力に応答して自動的に維持するシステムであって、該システムは、
(a)  入力デバイスと、
(b)  前記入力デバイスと通信するプロセッサと、
(c)  前記プロセッサと通信するメモリであって、
(i)  前記エレクトロニックコミュニティの任意のメンバが、該エレクトロニックコミュニティの特定の他のメンバに関するフィードバックインジケータであって、該フィードバックインジケータはそのフィードバックインジケータを提出したメンバによる前記特定の他のメンバの行動の認識を示しているものである、そのフィードバックインジケータを提出することを可能にすること、
(ii)  行動基準を表しているしきい値を超えたことを、前記特定の他のメンバに関して前記エレクトロニックコミュニティの前記メンバによって提出されたフィードバックインジケータの関数として、判断すること、
(iii)  前記しきい値を超えたとの判断の結果として、前記特定の他のメンバに向けられたアクションを自動的に実施すること、
を前記プロセッサに実行させるマシン命令を格納しているメモリと、
を備えていることを特徴とするシステム。
【請求項１４】  請求項１３に記載のシステムにおいて、前記メンバが前記フィードバックインジケータを提出することを可能にすることを前記プロセッサに実行させる前記マシン命令は、
(a)  あるメンバが、前記エレクトロニックコミュニティを構成するメンバから前記特定の他のメンバを選択することを可能にすること、
(b)  前記あるメンバが、前記特定の他のメンバの行動上の振る舞いを各々表している複数のカテゴリからフィードバックインジケータを選択することを可能にすること、
(c)  前記あるメンバが、前記エレクトロニックコミュニティのメンバに対してアクセス可能になっている中央記憶装置に前記フィードバックインジケータを提出することを可能にすること、
を前記プロセッサに実行させることを特徴とするシステム。
【請求項１５】  請求項１３に記載のシステムにおいて、前記しきい値を超えたことを前記プロセッサに判断させる前記マシン命令は、
(a)  前記特定の他のメンバの振る舞いを表しているカテゴリを、提出された前記フィードバックインジケータの関数として判断すること、
(b)  前記特定の他のメンバに対するカテゴリに関連するタリーをインクリメントすること、
(c)  前記タリーを前記しきい値と比較して、該タリーが該しきい値を超えているかどうかを判断すること、
をプ前記ロセッサに実行させることを特徴とするシステム。
【請求項１６】  請求項１３に記載のシステムにおいて、前記マシン命令は、さらに、
(a)  前記特定の他のメンバの前記振る舞いを表しているカテゴリを、提出された前記フィードバックインジケータの関数として判断すること、
(b)  前記フィードバックを提出した前記メンバの信用証明を判断すること、
(c)  前記信用証明の関数として、前記特定の他のメンバに対してのカテゴリに関連するタリーを調整すること、
(d)  前記タリーを前記しきい値と比較して、該タリーが該しきい値を超えているかどうかを判断すること、
を前記プロセッサに実行させることを特徴とするシステム。
【請求項１７】  請求項１３に記載のシステムにおいて、前記マシン命令は、さらに、
(a)  前記エレクトロニックコミュニティの特定の他のメンバによるそれ以外のメンバーとの通信を制限すること、
(b)  前記特定の他のメンバに対して前記エレクトロニックコミュニティの活動に参加することを許可する前に、前記特定の他のメンバにアクションの実行を要求すること、
(c)  前記特定の他のメンバが前記エレクトロニックコミュニティの活動に参加するのを、あらかじめ決めた期間の間一時中止すること、
(d)  特前記定の他のメンバが前記エレクトロニックコミュニティにアクセスするのを終了すること、
(e)  前記特定の他のメンバに罰金を科すること、
(f)  前記特定の他のメンバが前記エレクトロニックコミュニティに関連してクレジットカードを以降に使用することを禁止すること、
(g)  前記エレクトロニックコミュニティの活動の追加特典を前記特定の他のメンバに許与すること、  
(h)  前記特定の他のメンバに割引と割り戻しのうちの１つを許与すること、
(i)  前記特定の他のメンバを前記エレクトロニックコミュニティのサブグループに割り当てること、
のうちの少なくとも１つを前記プロセッサに実行させることを特徴とするシステム。
【請求項１８】  請求項１３に記載のシステムにおいて、前記マシン命令は、さらに、前記特定の他のメンバによって使用されているエレクトロニックデバイスに、前記特定の他のメンバが前記エレクトロニックコミュニティに参加することに影響を及ぼす通知を与えることを前記プロセッサに実行させ、該通知は、前記特定の他のメンバに向けられたアクションを前記エレクトロニックデバイスに実行させることを特徴とするシステム。
【請求項１９】  請求項１３に記載のシステムにおいて、前記マシン命令は、さらに、前記エレクトロニックコミュニティに属する前記特定の他のメンバとやりとりするかどうかを、前記エレクトロニックコミュニティのメンバによって前記特定の他のメンバに関して提出された前記フィードバックインジケータの関数として、メンバが選択することを可能にすることを前記プロセッサに実行させることを特徴とするシステム。
【請求項２０】  請求項１９に記載のシステムにおいて、前記マシン命令は、さらに、前記エレクトロニックコミュニティの活動においてそのメンバがやりとりしようとする、前記エレクトロニックコミュニティのサブグループのメンバを選択することを可能にすることを前記プロセッサに実行させることを特徴とするシステム。
【請求項２１】  請求項１３に記載のシステムにおいて、前記マシン命令は、さらに、前記行動基準を表す前記しきい値を、提出された前記フィードバックインジケータの関数として自動的に調整することを前記プロセッサに実行させることを特徴とするシステム。
【請求項２２】  請求項２１に記載のシステムにおいて、前記マシン命令は、さらに、前記しきい値を超えると、その影響を受けるユーザのパーセンテージを計算することを前記プロセッサに実行させることを特徴とするシステム。
【請求項２３】  エレクトロニックコミュニティに属するメンバ間のやりとりに関する行動基準を自動的に維持する方法であって、該方法は、
(a)  前記エレクトロニックコミュニティの特定メンバの行動に関するフィードバックインジケータを、該エレクトロニックコミュニティの他のメンバから受信するステップと、
(b)  次の少なくともどちらであるか、すなわち、
(i)  前記特定メンバの前記行動が前記エレクトロニックコミュニティの基準に合致し損なったは、前記特定メンバの振る舞いが前記他のメンバによって許容し得ないと認識されたからであるか、
(ii)  前記特定メンバの行動が前記エレクトロニックコミュニティの基準から外れたのは、前記特定メンバの振る舞いが前記他のメンバによって前記基準の範囲を超えていると認識されたからであるか、
を受信した前記フィードバックインジケータから自動的に判断するステップと、
(c)  前記特定メンバに向けられたアクションを、前記フィードバックインジケータの関数として自動的に実施するステップと、
を含むことを特徴とする方法。
【請求項２４】  請求項２３に記載の方法において、前記フィードバックインジケータを受信する前記ステップは、前記エレクトロニックコミュニティの前記他のメンバによって使用されている遠隔のエレクトロニックデバイスから前記フィードバックインジケータを受信するステップを含むことを特徴とする方法。
【請求項２５】  請求項２３に記載の方法において、自動的に判断するステップは、
(a)  前記フィードバックインジケータに対応する行動上の振る舞いのクラス（種類・等級）を特定するステップと、
(b)  追加のフィードバックインジケータが受信されたとき、前記クラスに関連するカウンタを調整するステップと、
(c)  前記カウンタがしきい値を超えたことを判断し、その応答として、前記特定メンバの振る舞いが次のどちらかに該当すること、すなわち、
(i)  前記特定メンバの前記振る舞いが、前記エレクトロニックコミュニティの前記メンバのうちの少なくとも事前に定義された一部のメンバによって許容し得ないと認識されたために許容し得ないこと、
(ii)  前記特定メンバの前記振る舞いが、前記エレクトロニックコミュニティの前記メンバのうちの少なくとも事前に定義された一部のメンバによって前記基準を超えたものとして認識されたために異常とされたこと、
の通知を提供するステップと、
を含むことを特徴とする方法。
【請求項２６】  請求項２５に記載の方法において、前記カウンタを調整する前記ステップは、
(a)  カウンタを増加するステップと、
(b)  次のうちの１つ、すなわち、
(i)  フィードバックインジケータを提出した前記他のメンバのうちで信頼されないメンバの信用証明の関数として、前記カウンタを減少すること、
(ii)  前記フィードバックインジケータを提出した前記他のメンバのうちで信頼されないメンバの信用証明の関数として、前記カウンタを増加すること、
のどちらかを実行するステップと、
を含み、前記増加は、前記フィードバックインジケータが前記他のメンバのうちで信頼されるメンバから提出されたものならば行われる増加よりも、小さいことを特徴とする方法。
【請求項２７】  請求項２６に記載の方法において、アクションを自動的に実施する前記ステップは、
(a)  前記エレクトロニックコミュニティの前記特定メンバと前記他のメンバ間の通信を中断するステップと、
(b)  前記エレクトロニックコミュニティの活動の開催期間中に前記特定メンバに関連するデータをクリアするステップと、
(c)  前記エレクトロニックコミュニティの活動に参加するための新たな認可を取得するように前記特定メンバに要求するステップと、
を含むことを特徴とする方法。
【請求項２８】  請求項２３に記載の方法において、前記アクションは、前記特定メンバに対する制裁を含むことを特徴とする方法。
【請求項２９】  請求項２８に記載の方法において、前記制裁は、
(a)  前記エレクトロニックコミュニティの前記他のメンバとの前記特定メンバによる通信を制限すること、
(b)  前記特定メンバに対して前記エレクトロニックコミュニティの活動に参加するのを許可する前に、該特定メンバにあるアクションを実行させること、
(c)  前記特定メンバが前記エレクトロニックコミュニティの活動に参加するのを、あらかじめ決めた期間の間一時中止すること、
(d)  前記特定メンバによる前記エレクトロニックコミュニティへのアクセスを中止すること、
(e)  前記特定メンバに罰金を科すこと、
(f)  前記特定メンバが前記エレクトロニックコミュニティに関連してクレジットカードを以後使用するのを禁止すること、
(g)  前記特定メンバを前記エレクトロニックコミュニティのサブグループに割り当てること、
の１つを含むことを特徴とする方法。
【請求項３０】  請求項２３に記載の方法において、アクションを自動的に実施する前記ステップは、前記特定メンバに報奨を与えることを含むことを特徴とする方法。
【請求項３１】  請求項３０に記載の方法において、前記報奨は、
(a)  前記エレクトロニックコミュニティの活動における追加特権を前記特定メンバに許与すること、
(b)  割引と割り戻しのうちの１つを前記特定メンバに許与すること、
(c)  前記特定メンバを前記エレクトロニックコミュニティのサブグループに割り当てること、
のうちの少なくとも１つを含むことを特徴とする方法。
【請求項３２】  請求項２３に記載の方法において、アクションを自動的に実施する前記ステップは、ユーザを前記エレクトロニックコミュニティのサブグループに割り当てるステップを含み、さらに、該サブグループに割り当てられた該ユーザとやりとりするかどうかを、前記エレクトロニックコミュニティの他のメンバが選択することを可能にするステップを含むことを特徴とする方法。
【請求項３３】  請求項２３に記載のステップをマシンに実行させるマシン命令を格納していることを特徴とするマシン可読媒体。
【請求項３４】  エレクトロニックコミュニティのメンバ間のやりとりに関する行動基準を自動的に維持するシステムであって、該システムは、
(a)  プロセッサと、
(b)  前記プロセッサと通信する状態に置かれていて、
(i)  前記エレクトロニックコミュニティの特定メンバの行動に関するフィードバックインジケータを、該エレクトロニックコミュニティの他のメンバから受信すること、
(ii)  少なくとも次のうちの１つ、すなわち、
(A)  前記特定メンバの行動が前記エレクトロニックコミュニティの基準に合致し損なったのは、該特定メンバの振る舞いが前記他のメンバによって許容し得ないと認識されたからであること、
(B)  前記特定メンバの行動が前記エレクトロニックコミュニティの基準に合致から外れたのは、該特定メンバの振る舞いが前記他のメンバによって基準を超えていると認識されたからであること、
を受信したフィードバックインジケータから自動的に判断すること、
(iii)  前記特定メンバに向けられたアクションを、前記フィードバックインジケータの関数として自動的に実施すること、
を前記プロセッサに実行させるマシン命令を格納しているメモリと、
を備えていることを特徴とするシステム。
【請求項３５】  請求項３４に記載のシステムにおいて、前記フィードバックインジケータを受信することを前記プロセッサに実行させる前記マシン命令は、前記エレクトロニックコミュニティの前記他のメンバによって使用されている遠隔のエレクトロニックデバイスから前記フィードバックインジケータを受信することを前記プロセッサに実行させることを特徴とするシステム。
【請求項３６】  請求項３４に記載のシステムにおいて、自動的に判断することを前記プロセッサに実行させる前記マシン命令は、
(a)  前記フィードバックインジケータに対応する行動上の振る舞いのクラスを特定すること、
(b)  追加のフィードバックインジケータが受信されたとき、前記クラスに関連するカウンタを調整すること、
(c)  前記カウンタがしきい値を超えたことを判断し、その応答として、前記特定メンバの振る舞いが次のどちらかに該当すること、すなわち、
(i)  前記特定メンバの前記振る舞いが、前記エレクトロニックコミュニティの前記メンバのうちの少なくとも事前に定義された一部のメンバによって許容し得ないと認識されたために許容し得ないこと、
(ii)  前記特定メンバの前記振る舞いが、前記エレクトロニックコミュニティの前記メンバのうち少なくとも事前に定義された一部のメンバによって前記基準を超えたものとして認識されたために異常とされたこと、
の通知を与えること、
を前記プロセッサに実行させることを特徴とするシステム。
【請求項３７】  請求項３６に記載のシステムにおいて、前記カウンタを調整することを前記プロセッサに実行させる前記マシン命令は、
(a)  前記フィードバックインジケータに対応する前記他のメンバのうちの信頼されたメンバの信用証明の関数として前記カウンタを増加すること、
(b)   前記フィードバックインジケータに対応する前記他のメンバのうちの信頼されないメンバの信用証明の関数として前記カウンタを減少すること、
のうちの１つを前記プロセッサに実行させることを特徴とするシステム。
【請求項３８】  請求項３４に記載のシステムにおいて、アクションを自動的に実施することを前記プロセッサに実行させる前記マシン命令は、
(a)  前記エレクトロニックコミュニティの前記特定メンバと前記他のメンバとの間の通信を中断すること、
(b)  前貴意エレクトロニックコミュニティとの活動の開催期間中に前記特定メンバに関連するデータをクリアすること、
(c)  前記エレクトロニックコミュニティの活動に参加する新たな認可を取得するように前記特定メンバに要求こと、
を前記プロセッサに実行させることを特徴とするシステム。
【請求項３９】  請求項３４に記載のシステムにおいて、前記アクションは、前記特定メンバに対する制裁を含むことを特徴とするシステム。
【請求項４０】  請求項３９に記載のシステムにおいて、前記制裁は、
(a)  前記エレクトロニックコミュニティの前記他のメンバとの特定メンバによる通信を制限すること、
(b)  前記特定メンバに対して前記エレクトロニックコミュニティの活動に参加するのを許可する前に、該特定メンバにあるアクションを実行させること、
(c)  前記特定メンバが前記エレクトロニックコミュニティの活動に参加するのを、あらかじめ決めた期間の間一時中止すること、
(d)  前記特定メンバによる前記エレクトロニックコミュニティへのアクセスを中止すること、
(e)  前記特定メンバに罰金を科すこと、
(f)  前記特定メンバが前記エレクトロニックコミュニティに関連してクレジットカードを以後使用するのを禁止すること、
(g)  前記特定メンバを前記エレクトロニックコミュニティのサブグループに割り当てること、
の１つを含むことを特徴とするシステム。
【請求項４１】  請求項３４に記載のシステムにおいて、あるアクションを自動的に実施することを前記プロセッサに実行させる前記マシン命令は、前記特定メンバに報奨を与えることを前記プロセッサに実行させることを含むことを特徴とするシステム。
【請求項４２】  請求項４１に記載のシステムにおいて、前記報奨は、
(a)  前記エレクトロニックコミュニティの活動の追加特権を前記特定メンバに許与すること、
(b)  割引と割り戻しのうちの１つを前記特定メンバに許与すること、
(c)  前記特定メンバを前記エレクトロニックコミュニティのサブグループに割り当てること、
のうちの少なくとも１つを含むことを特徴とするシステム。
【請求項４３】  請求項３４に記載の方法において、あるアクションを自動的に実施することを前記プロセッサに実行させる前記マシン命令は、ユーザを前記エレクトロニックコミュニティのサブグループに割り当てることを前記プロセッサに実行させることを含み、さらに、該サブグループに割り当てられた該ユーザとやりとりするかどうかを、前記エレクトロニックコミュニティの他のメンバが選択することを可能にすることを前記プロセッサに実行させることを含むことを特徴とするシステム。
【請求項４４】  エレクトロニックコミュニティに属するメンバの行動基準を、該エレクトロニックコミュニティのメンバからの入力に応答して自動的に維持するシステムであって、該システムは、
(a)  複数のクライアントデバイスであって、各々の該クライアントデバイスは、
(i)  入力デバイスと、
(ii)  前記入力デバイスと通信する状態に置かれているクライアントプロセッサと、
(iii)  前記クライアントプロセッサと通信する状態に置かれていて、
前記エレクトロニックコミュニティのメンバが、該エレクトロニックコミュニティの特定の他のメンバに関するフィードバックインジケータを提出することを可能にすることを前記プロセッサに実行させるクライアントマシン命令を格納しているクライアントメモリであって、前記フィードバックインジケータは、該フィードバックインジケータを提出したメンバによって前記特定の他のメンバの振る舞いを認識したことを示している、そのクライアントメモリと、
(b)  ネットワークを通じて前記複数のクライアントデバイスと通信する能力を備えたサーバデバイスであって、該サーバデバイスは、
(i)  サーバプロセッサと、
(ii)  前記サーバプロセッサと通信する状態に置かれていて、
(A)  行動基準を表すしきい値を超えたことを、前記特定の他のメンバに関して前記エレクトロニックコミュニティのメンバから受信したフィードバックインジケータの関数として、判断すること、
(B)  前記しきい値を超えたとの判断の結果として、前記特定の他のメンバに向けられたアクションを自動的に実施すること、
を前記サーバプロセッサに実行させるサーバマシン命令を格納しているサーバメモリと、
を備えていることを特徴とするシステム。
【請求項４５】  請求項４４に記載のシステムにおいて、前記サーバマシン命令は、さらに、
(a)  前記特定の他のメンバの振る舞いを表しているカテゴリを、
該特定の他のメンバから受信された前記フィードバックインジケータの関数として、判断すること、
(b)  前記特定の他のメンバに関する前記カテゴリに関連するタリーをインクリメントすること、
(c)  前記タリーを前記しきい値と比較して、該タリーが該しきい値を超えているかどうかを判断すること、
を前記サーバプロセッサに実行させることを特徴とするシステム。
【請求項４６】  請求項４４に記載のシステムにおいて、前記サーバマシン命令は、さらに、
(a)  前記エレクトロニックコミュニティの前記特定の他のメンバによるそれ以外のメンバーとの通信を制限すること、
(b)  前記特定の他のメンバに対して前記エレクトロニックコミュニティの活動に参加することを許可する前に、前記特定の他のメンバにアクションの実行を要求すること、
(c)  前記特定の他のメンバが前記エレクトロニックコミュニティの活動に参加するのを、あらかじめ決めた期間の間一時中止すること、
(d)  前記特定の他のメンバが前記エレクトロニックコミュニティにアクセスするのを終了すること、
(e)  前記特定の他のメンバに罰金を科すること、
(f)  前記特定の他のメンバが前記エレクトロニックコミュニティに関連してクレジットカードを以降に使用することを禁止すること、
(g)  前記エレクトロニックコミュニティの活動の追加特典を前記特定の他のメンバに許与すること、  
(h)  前記特定の他のメンバに割引と割り戻しのうちの１つを許与すること、
(i)  前記特定の他のメンバを前記エレクトロニックコミュニティのサブグループに割り当てること、
のうちの少なくとも１つを前記サーバプロセッサに実行させることを特徴とするシステム。
【請求項４７】  請求項４４に記載のシステムにおいて、前記サーバマシン命令は、さらに、前記特定の他のメンバによって使用されている前記クライアントデバイスに通知を与えることを前記サーバプロセッサに実行させ、該通知は前記特定の他のメンバが前記エレクトロニックコミュニティに参加することに影響を及ぼし、該通知は前記特定の他のメンバに向けられたアクションの少なくとも一部を前記クライアントデバイスに実施させることを特徴とするシステム。
【請求項４８】  請求項４４に記載のシステムにおいて、前記サーバマシン命令は、さらに、前記行動基準を表す前記しきい値を、提出された前記フィードバックインジケータの関数として自動的に調整することを前記サーバプロセッサに実行させることを特徴とするシステム。
【請求項４９】  請求項４８に記載のシステムにおいて、前記サーバマシン命令は、さらに、前記しきい値を超えると、その影響を受ける前記エレクトロニックコミュニティのメンバのパーセンテージを計算することを前記サーバプロセッサに実行させることを特徴とするシステム。